(57)【要約】【課題】癒着した神経組職等を離隔するか、または身体組織に溶液性治療物質を注入するための空間を確保し、空気チューブの搖れを減らし、マーカーの離脱を防止する医療用膨張器具を提供する。【解決手段】本発明の医療用膨張器具は、空圧で膨張する膨張体；該膨張体への空気流入をガイドし、一端が該膨張体と結合されて該膨張体を支持する空気チューブ；一端が空気チューブに結合された連結具；空気を外部から受けるための空気の流入管が備えられ、一端が前記連結具と結合されたボディー；該空気チューブと該連結具の結合部位を保護し、該連結具と該ボディーを密着させ、該ボディーが該連結具を支持するように該ボディーに結合される前面キャップ；及び該ボディーの他端から該膨張体まで該ボディー、連結具及び空気チューブの内部を貫き、該膨張体の位置確認のためのマーカーが該膨張体の位置と対応する一側に一体に突設された長針；を含む。【選択図】  図２
2012192155.tif 000002
【特許請求の範囲】
【請求項１】
身体の内部で空圧によって膨張する膨張体；
前記膨張体が膨張するように膨張体の内部に空気の流入をガイドし、一端が前記膨張体と結合されて前記膨張体を支持する空気チューブ；
前記空気チューブに空気の流入をガイドし、前記空気チューブと密着するように一端が空気チューブの他端に挿入されて結合された連結具；
前記膨張体を膨張させるための空気を外部から受けるための空気の流入管が備えられ、前記空気の流入管を通じて流入した空気が前記連結具に伝達されるように一端が前記連結具の他端と結合されたボディー；
前記空気チューブと前記連結具の結合部位を保護し、前記連結具と前記ボディーを密着させるとともに前記ボディーが前記連結具を支持するように前記ボディーの一側に結合される前面キャップ；及び
前記膨張体及び前記空気チューブの支持に役立つように、前記ボディーの他端から前記ボディー、連結具及び空気チューブの内部を貫いて前記膨張体まで備えられ、前記膨張体の位置確認のためのマーカーが前記膨張体の位置と対応する一側に一体に突設された長針；を含むことを特徴とする、医療用膨張器具。
【請求項２】
前記連結具及び前記空気チューブは熔接で結合されたことを特徴とする、請求項１に記載の医療用膨張器具。
【請求項３】
前記ボディーの内部に流入する空気の圧力と同等な圧力で前記膨張体が膨張するように前記空気が通る前記連結具の内部にテーパー（Ｔａｐｅｒ）が形成されたことを特徴とする、請求項１に記載の医療用膨張器具。
【請求項４】
前記ボディーと前記連結具の間に位置し、空気の漏出を抑制するためのＯリング（Ｏ−ｒｉｎｇ）；をさらに含むことを特徴とする、請求項１に記載の医療用膨張器具。
【請求項５】
前記ボディーの他端に結合され、前記空気チューブの内部を通じて前記膨張体まで伸びて前記長針を支持する後面キャップ；をさらに含み、
前記長針が前記空気チューブに損傷を与えないように、前記長針が固定結合された前記後面キャップが前記ボディーに熔接で結合されたことを特徴とする、請求項１に記載の医療用膨張器具。
【発明の詳細な説明】
【技術分野】
【０００１】
本発明は医療用膨張器具に係り、より詳しくは高い弾性率及び伸張力を用いて癒着した神経組織または筋肉組織の間を離隔させるかあるいは疾患のある身体組織に溶液性治療物質を注入するための空間を確保し、長針の厚さを厚くして空気チューブ及び膨張体の支持をより容易にして空気チューブの搖れを減らし、マーカーを長針と一体に形成することでマーカーの離脱による危険を防止する目的で使われる医療用膨張器具に関する。
【背景技術】
【０００２】
一般に、人体は微細な血管と小器官があるため小さな衝撃によっても損傷を受けやすく、外部の異物が微細な血管または小器官を詰めて生命を脅威する場合が多い。このような場合、短時間内に詰まっている異物を除去しなければならない応急状態の場合が大部分である。また、微細な血管と小器官に炎症または癌による癒着が発生すれば、その機能が弱化し、治療薬物を疾病の部位に正確に投与しにくい。このような問題で過多な抗生剤または抗癌剤を投与することになる。
【０００３】
歯科領域における歯周骨融合術の場合、上顎関節に位置する歯茎中の歯周骨が壊死して神経と神経あるいは神経と組織が癒着する場合がたびたび発生する。従来には金属性器具または高熱を用いる装備を使ったが、上顎関節に存在する癒着した神経を損傷させて患者の顔面麻痺を引き起こすかあるいは死亡に至る場合がよく発生した。
【０００４】
そして、応急医学科領域において、事故により、気道管が異物によって詰まる場合がある。このような場合、患者は呼吸に相当な困難があり、ひどい場合は死亡に至ることになる。したがって、応急処置を必要とするが、従来には金属性器具を用いて気道管拡張術を施行して来た。しかし、金属性器具による食道の損傷または詰まっている異物の種類、または詰まっている異物の深みによって金属性器具の使用に限界がある。
【０００５】
また、腎臓内科の領域の尿道管拡張術において、結石が膀胱に下がり、これが排尿時に尿道に流入してめりこむことになる場合である。このような場合、患者は歩くことができない位ひどい痛症を訴えることになる。従来には、尿路を切開して結石を除去するか体外で衝撃波を用いる装備を使った。しかし、傷あとが生じるか尿路の組織損傷が引き起こされ、再発率も高い問題点がある。
【０００６】
その他の脊椎外科の領域において、骨粗鬆症による脊椎体圧迫骨折の際、骨折した脊椎分節内に骨セメントを入れるために空間を確保するときに使われて来た。しかし、空気チューブの揺れによって膨張体の挿入が容易でなく、たびたびマーカーの離脱によって炎症が発生する問題点がある。
【０００７】
したがって、前記のような問題点を解決するために、膨張可能な構造を持つ器具が多く提案されている。膨張可能な構造を持つ器具は圧力を発生させる手動装置または電動装置に連結され、発生空気圧を用いて血管の大きさあるいは神経組織または筋肉組織の癒着力によって膨張可能な構造体の大きさまたは圧力を調節することができるようになっており、このような原理を用いて癒着した神経組織または筋肉組織を離隔させるか、溶液性治療物質を充填するために空間を確保するときに使われ、異物によって詰まっている器官を拡張させて、異物を流動しやすくすることで問題を解決する。この際、場合によって膨張体の位置及び大きさを確認するために、圧力を発生させる装置内に消毒された蒸溜水と造影剤を混合して使うこともある。また、前記のような問題を解決した後、必要によって抗炎剤または骨セメントのような溶液性治療物質で損傷された組織を治療する。
【０００８】
図１は従来の医療用膨張器具を概略的に示す図である。図１を参照すれば、医療用膨張器具は、ボディー１５に空気チューブ１２が結合され、空気チューブ１２の内部に補助チューブ１３が設けられ、補助チューブ１３の内部には長針１８が設けられている。そして、長針１８が結合された後面キャップ１７がボディー１５に結合されている。そして、ボディー１５には空気の流入管１６が連結され、これに外部の空気注入装置（図示せず）と空気管２１などを介して連結されている。
【０００９】
しかし、このような従来の医療用膨張器具には次のような問題点があった。
従来の医療用膨張器具においては、空気チューブ１２をボディー１５に結合させたが、空気チューブ１２とボディー１５が連結される部位１０で安定した結合がよくなされなくて空気チューブ１２がボディー１５から分離され、膨張体（図示せず）の膨張機能が損失される問題点があった。そして、後面キャップ１７と金属素材の長針１８が固定されており、ボディー１５と後面キャップ１７がネジ方式などで分離可能に締結されていた。ここで、後面キャップ１７とボディー１５が互いに完全に締結されない場合、金属素材の長針１８が空気チューブ１２とうまく整列されなくて空気チューブ１２が破れるなど、空気チューブ１２が損傷され得るという問題点があった。
【００１０】
また、従来の医療用膨張器具の長針１８の終端部には膨張体の位置確認のための白金リングなどのマーカーを熔接などの方法で結合する。しかし、熔接不良、外部の衝撃または他の環境要因などによってマーカーが長針から離脱する問題点がある。このように、マーカーが長針から離脱すれば、膨張体の位置確認が難しく、空気チューブ及び膨張体が破れる場合に離脱したマーカーが空気チューブまたは膨張体の外部に排出されて身体の内部に流入して炎症の発生のような危急状況が発生し得るという問題がある。
【発明の概要】
【発明が解決しようとする課題】
【００１１】
したがって、本発明は前記の問題点を解決するためになされたもので、高い弾性率と伸張力を用いて、癒着した神経組織または筋肉組織の間の離隔を引き起こすかあるいは疾患がある身体組織に溶液性治療物質を注入するための空間を確保し、長針の厚さを厚くして空気チューブ及び膨張体の支持をより容易にして空気チューブの搖れを減らし、マーカーを長針と一体に形成してマーカーの離脱による危険を防止するために使われる医療用膨張器具を提供することにその目的がある。
【課題を解決するための手段】
【００１２】
前記のような本発明の目的は、身体の内部で空圧によって膨張する膨張体；前記膨張体が膨張するように膨張体の内部に空気の流入をガイドし、一端が前記膨張体と結合されて前記膨張体を支持する空気チューブ；前記空気チューブに空気の流入をガイドし、前記空気チューブと密着するように一端が空気チューブの他端に挿入されて結合された連結具；前記膨張体を膨張させるための空気を外部から受けるための空気の流入管が備えられ、前記空気の流入管を通じて流入した空気が前記連結具に伝達されるように一端が前記連結具の他端と結合されたボディー；前記空気チューブと前記連結具の結合部位を保護し、前記連結具と前記ボディーを密着させるとともに前記ボディーが前記連結具を支持するように前記ボディーの一側に結合される前面キャップ；及び前記膨張体及び前記空気チューブの支持に役立つように、前記ボディーの他端から前記ボディー、連結具及び空気チューブの内部を貫いて前記膨張体まで備えられ、前記膨張体の位置確認のためのマーカーが前記膨張体の位置と対応する一側に一体に突設された長針；を含む、医療用膨張器具によって達成できる。
前記連結具及び前記空気チューブは熔接で結合されることができる。
前記ボディーの内部に流入する空気の圧力と同等な圧力で前記膨張体が膨張するように前記空気が通る前記連結具の内部にテーパーが形成されることができる。
前記ボディーと前記連結具の間に位置し、空気の漏出を抑制するためのＯリングをさらに含むことができる。
前記ボディーの他端に結合され、前記空気チューブの内部を通じて前記膨張体まで伸びて前記長針を支持する後面キャップ；をさらに含むことができ、前記長針が前記空気チューブに損傷を与えないように、前記長針が固定結合された前記後面キャップが前記ボディーに熔接で結合されることができる。
【発明の効果】
【００１３】
本発明によれば、空気チューブと固定接合され、内部にテーパーが形成された連結具と連結具とボディーを密着して結合させる前面キャップを含むから、空気チューブが安定的にボディーから空気を受け、膨張体を膨張させるために空気を送り出すことができるので、膨張体の膨張機能の損失を抑制する効果がある。
そして、長針が固定結合された後面キャップとボディーが固定接合されているため、長針による空気チューブの損傷が抑制されて安全性が向上する効果がある。
また、ボディーの空気の流入管に注射器などを直接結合させることができるので、応急状況の際、より速かに膨張体を膨張させることができる効果がある。
また、長針の一側終端部にマーカーを一体に形成することで、マーカーの離脱危険を事前に防止することができる効果がある。また、長針の厚さが空気チューブの厚さと類似の厚さになるので、膨張体の位置付けのうちに空気チューブの搖れが減少する効果がある。
本明細書において、添付図面は本発明の好適な実施例を示すもので、発明の詳細な説明とともに本発明の技術思想をより明らかに理解させる役目をするものなので、本発明はこのような図面に記載した事項に限定されて解釈されてはいけない。
【図面の簡単な説明】
【００１４】
【図１】従来技術による医療用膨張器具を概略的に示す断面図である。
【図２】本発明の実施例による医療用膨張器具を概略的に示す断面図である。
【図３】本発明の実施例による医療用膨張器具の一部を概略的に示す部分断面図である。
【図４】本発明の実施例による医療用膨張器具の連結具を概略的に示す断面図である。
【図５】本発明の実施例による膨張体が膨張した状態を示す断面図である。
【発明を実施するための形態】
【００１５】
以下、添付図面に基づいて本発明の好適な実施例を詳細に説明する。
図２は本発明の実施例による医療用膨張器具を概略的に示す断面図、図３は本発明の実施例による医療用膨張器具の一部を概略的に示す部分断面図である。本発明による医療用膨張器具１００は、図２及び図３に示すように、膨張体１１０、空気チューブ１２０、連結具１４０、ボディー１５０、前面キャップ１６０、長針１８０及び後面キャップ１７０でなる。
【００１６】
本発明によるボディー１５０は、注射器のような外部の空圧発生装置から空気を受けて連結具１４０に空気を伝達する装置である。このようなボディー１５０には、膨張体１１０を膨張させるための空気を受けるための空気の流入管１５１が備えられている。そして、ボディー１５０の一端は連結具１４０の他端と結合されている。
【００１７】
空気注射器のような外部の空気圧発生装置から空気が空気の流入管１５１を通じてボディー１５０に流入され、ボディー１５０に流入した空気は連結具１４０及び空気チューブ１２０を通して膨張体１１０に流入することで膨張体１１０を膨張させることになる。
【００１８】
そして、空気の流入管１５１には注射器（図示せず）と結合するようにネジ部（図示せず）が形成されていることが好ましい。注射器が直接空気の流入管１５１と結合されれば、より速かに膨張体１１０を膨張させることができ、ボディー１５０と注射器の間に空気管（Ａｉｒ  Ｐｉｐｅ）が不要になる。空気管が不要であり、ボディー１５０と注射器が空気の流入管１５１を介して直接連結され、連結具１４０のテーパー（Ｔａｐｅｒ）状内部構造によって空圧の低下を最小化しながら十分な空圧を膨張体１１０に提供することができる。
【００１９】
また、本発明によるボディー１５０には使用者が取り扱いやすいように取っ手１５５ａ、１５５ｂが備えられていることが好ましい。
【００２０】
図４は本発明の実施例による医療用膨張器具の連結具を概略的に示す断面図である。本発明による連結具１４０は、外部からボディー１５０に流入した空気が空気チューブ１２０に流入するようにガイドする。そして、連結具１４０は空気チューブ１２０を支持するように空気チューブ１２０と密着して結合される。すなわち、連結具１４０の一端が空気チューブ１２０の他端に密着して挿入される。この際、連結具１４０は、図４に示すように、一端側にテーパーが形成されたものが好ましい。言い替えれば、空気チューブ１２０の他端に連結具１４０の一端が効果的に挿入できるように、連結具１４０は一端側にテーパーが形成されたものが好ましい。連結具１４０の一端が空気チューブ１２０の他端内部に位置しているので、空気チューブ１２０が堅く支持される。また、連結具１４０の一端が空気チューブ１２０の他端の内部に挿入された状態で熔接などで密封して結合させれば、空気の漏出も一層効果的に抑制される。
【００２１】
ここで、空気チューブ１２０と連結具１４０との結合は空気が漏出しないように熔接などで結合されることが好ましく、ひいては連結具１４０、空気チューブ１２０及び膨張体１１０の全部が熔接されることが好ましい。
【００２２】
連結具１４０は、ボディー１５０の内部に流入する空気の圧力と同等な圧力で膨張体１１０が膨張できるように、空気が通る連結具１４０の内部にテーパーが形成されている。連結具１４０の内部にテーパーが形成されているので、ボディー１５０の内部で圧力が下がった空気の圧力が高くなって空気チューブ１２０を通じて膨張体１１０側に伝達される。
【００２３】
そして、連結具１４０とボディー１５０の間には、空気のような流体の漏出を抑制するためのＯリング（Ｏ−ｒｉｎｇ）１４５が備えられることが好ましい。Ｏリング１４５はボディー１５０と連結具１４０の間に位置し、前面キャップ１６０がボディー１５０と結合しながら連結具１４０をボディー１５０側に密着させるので、空気のような流体の漏出が効果的に抑制される。
【００２４】
膨張体１１０が膨張するとき、膨張した大きさまたは状態を使用者が確認するために、消毒された蒸溜水と混合された造影剤（図示せず）が速かに膨張体１１０に伝達される必要がある。連結具１４０は空気チューブ１２０に直接固定接合され、ボディー１５０内で低くなった圧力を連結具１４０のテーパー構造１４１によって増加させて造影剤を膨張体１１０側に速く伝達させる。同時に、連結具１４０のテーパー状の内部構造は膨張体１１０から逆流しようとする液体の圧力を最小化させる役目もする。
【００２５】
本発明による前面キャップ１６０は、連結具１４０とボディー１５０が密着して結合されるように、ボディー１５０の一端側に結合されて連結具１４０をボディー１５０に密着させる。そして、前面キャップ１６０は連結具１４０を支持する。前面キャップ１６０は、連結具１４０とボディー１５０が効果的に密着結合するように、前面キャップ１６０と連結具１４０が接する部分にテーパーが形成されることが好ましい。
【００２６】
同時に、前面キャップ１６０は空気チューブ１２０と連結具１４０の結合部位、つまり接合部位を保護する役目も兼ねることができる。
【００２７】
本発明による空気チューブ１２０は、膨張体１１０が空圧によって膨張できるように、連結具１４０を通じて流入した空気を膨張体１１０の内部にガイドする。そして、空気チューブ１２０は膨張体１１０の内部に空気の流入をガイドする。そして、空気チューブ１２０は膨張体１１０を支持する。空気チューブ１２０の一端は膨張体１１０に空気が漏出しないように熔接で結合されている。
【００２８】
空気チューブ１２０の内部には長針１８０が内在されている。そして、空気チューブ１２０の他端は連結具１４０と結合されている。ここで、連結具１４０と空気チューブ１２０の間に空気の漏出がないように、空気チューブ１２０の他端と連結具１４０を熔接で結合させることが好ましい。そして、空気チューブ１２０は連結具１４０によって支持される。
【００２９】
本発明による膨張体１１０は身体の内部から空気チューブ１２０を通じて流入した空気の圧力によって膨張する。身体の内部、つまり神経組織または筋肉組織などに膨張体１１０が挿入され、膨張体１１０が膨張することにより、癒着した神経組織または神経組織と筋肉組織間の癒着状態を離隔させるかあるいは疾患がある人体組織に治療物質を注入させるための空間が確保される。このような膨張体１１０は空気チューブ１２０の一端に結合される。空気が空気チューブ１２０を通じて膨張体１１０の内部に流入することにより、膨張体１１０が膨張する。
【００３０】
このような膨張体１１０は弾性率が高くて伸張力が良いＴＰＵ（Ｔｈｅｒｍｏｐｌａｓｔｉｃ−Ｐｏｌｙｕｒｅｔｈａｎｅ）素材でなることが好ましい。
【００３１】
本発明による長針１８０は膨張体１１０及び空気チューブ１２０の支持に役立てるために備えられたものである。そして、長針１８０はボディー１５０、連結具１４０及び空気チューブ１２０の内部を貫いて膨張体１１０まで到逹するように備えられている。長針１８０の一端は後面キャップ１７０に固定結合され、使用者が膨張体１１０を身体内の所望位置に挿入させることができるように支持及びガイドする役目をする。外部から流入した空気は長針１８０と空気チューブ１２０間の空間を通じて膨張体１１０に流入して膨張体１１０を膨張させる。この際、長針１８０の一側終端部、好ましくは膨張体１１０の位置と対応する終端部一側には膨張体１１０の位置を確認することができるようにマーカー１３５が一体に突設される。マーカー１３５は長針１８０の終端部一側に備えられて膨張体１１０の内部に位置することになる。
【００３２】
図５は本発明の実施例による膨張体が膨張した状態を示す断面図である。一実施例において、使用者がＣ−ＲＡＭという放射線装備で放射線を照射すれば、図５に示すように、長針１８０の一側に備えられたマーカー１３５は放射線を受けて光を反射させる。マーカー１３５で反射される光によって膨張体１１０の位置を確認することができることになる。従来のマーカー１３５は白金リングなどを別に製作して熔接などの方法で結合させる方法を用いたが、本発明では、長針１８０の一側終端部を切削してマーカー１３５を形成するので、マーカー１３５が離脱することを防止することができる。
【００３３】
このような長針１８０は、流体が空気チューブ１２０の内部を流れるように、空気チューブ１２０の内径より小さな外径を有し、一側終端部が切削されることでマーカー１３５が突設されるようにする。
【００３４】
本発明による後面キャップ１７０は長針１８０を支持する。この際、後面キャップ１７０はボディー１５０の他端に結合される。特に、後面キャップ１７０はボディー１５０の他側に熔接で固定結合されることが好ましい。そして、後面キャップ１７０に固定結合される長針１８０は空気チューブ１２０の内部を通じて膨張体１１０まで伸びて空気チューブ１２０を支持する。長針１８０は空気チューブ１２０と膨張体１１０の支持に役立つ。長針１８０は弾力性の金属素材でなることが好ましい。
【００３５】
長針１８０が固定結合された後面キャップ１７０とボディー１５０が熔接で固定結合されているので、長針１８０と空気チューブ１２０が容易に整列され、長針１８０による空気チューブ１２０の損傷が抑制される。
【００３６】
このように、本発明による医療用膨張器具１００は、空気チューブ１２０と密着し、内部にテーパーが形成された連結具１４０と、連結具１４０とボディー１５０を密着結合させる前面キャップ１６０を含むから、空気チューブ１２０が安定的にボディー１５０から空気を受けて膨張体１１０を膨張させるように空気を送り出すことができるので、膨張体１１０の膨張機能の損失を抑制する。
【００３７】
そして、長針１８０が固定結合された後面キャップ１７０とボディー１５０が固定的に接合されているので、長針１８０による空気チューブ１２０の損傷が抑制されて安全性を向上させる。また、ボディー１５０の空気の流入管１５１に注射器などを直接結合させることができるので、応急状況時に一層速かに膨張体１１０を膨張させることができる。
【００３８】
以上説明したように、本発明が属する技術分野の当業者であれば、本発明がその技術的思想や必須の特徴を変更しなくても他の具体的な形態に実施可能であると理解可能であろう。したがって、前述した実施例はすべての面において例示的なもので限定的なものではないと理解しなければならない。本発明の範囲は詳細な説明よりは後述する特許請求範囲によって決められ、特許請求範囲の意味及び範囲、かつ等価の概念から導出されるすべての変更または変形の形態が本発明の範囲に含まれるものであると解釈されなければならない。
【産業上の利用可能性】
【００３９】
本発明は、高い弾性率と伸張力を用いて癒着した神経組織または筋肉組織の間の離隔を引き起こすかあるいは疾患がある身体組織に溶液性治療物質を注入するための空間を確保し、長針の厚さを厚くして空気チューブ及び膨張体の支持をより容易にして空気チューブの搖れを減らし、マーカーを長針と一体に形成してマーカーの離脱による危険を防止するために使われる医療用膨張器具に適用可能である。
【符号の説明】
【００４０】
１０    空気チューブとボディーが連結される部位
１２    空気チューブ
１３    補助チューブ
１５    ボディー
１６    空気の流入管
１７    後面キャップ
１８    長針
２１    空気管
１００    医療用膨張器具
１１０    膨張体
１２０    空気チューブ
１３５    マーカー
１４０    連結具
１４１    テーパー構造
１４５    Ｏリング
１５０    ボディー
１５１    空気の流入管
１５５ａ、１５５ｂ    取っ手
１６０    前面キャップ
１７０    後面キャップ
１８０    長針
【図１】
2012192155.tif 000003
【図２】
2012192155.tif 000004
【図３】
2012192155.tif 000005
【図４】
2012192155.tif 000006
【図５】
2012192155.tif 000007